(57)【特許請求の範囲】
【請求項１】
人体から放射される熱線を検知することにより検知領域内における人の存否を検知する人体検知部と、人体検知部が検知信号を発生すると所定の動作保持時間だけ負荷をオンさせる制御信号を発生する制御回路、２個の接続端子を介して商用電源及び負荷の直列回路が接続され前記制御信号に応じて負荷への電源供給をオン／オフする負荷制御回路、負荷制御回路と並列に接続され負荷制御回路のオフ時に負荷が駆動するに至らないレベルの入力インピーダンスを有し負荷制御回路のオフ時に制御回路へ動作電源を供給するオフ時電源回路、及び負荷制御回路のオン時に制御回路へ動作電源を供給するオン時電源回路よりなる回路部と、人体検知部および回路部を収納する器体とを備え、上記器体は前面が略矩形状に形成され、壁面のような施工面に固定される取付枠に結合される取付け部を有し、上記器体の短幅方向の寸法は、施工面に固定される取付枠の開口窓の短幅方向寸法と略同じ寸法に形成されると共に、上記器体の長手方向の寸法は、取付枠の開口窓の長手方向寸法の略３分の２に形成され、開口窓から露出する器体前面の部位に、人体検知部と、動作保持時間を切り換える時間設定部と、制御回路の動作モードを人体検知部の検知信号に応じて自動的に負荷をオン／オフさせる自動モード、検知信号と無関係に負荷を強制的にオン又はオフさせる連続入モード、連続切モードの何れかに切り換えるモード設定部とを配置し、所定の検知領域から入射される熱線を人体検知部に集光するレンズを器体の前面に設けると共に、人体検知部の検知領域を制限する断面略円弧状に形成された検知領域制限カバーと、検知領域制限カバーの前面又は背面と当接する面がそれぞれ断面略円弧状に形成され、前記検知領域制限カバーを間に挟持することによって前記検知領域制限カバーをスライド自在に器体に取り付ける第１及び第２のカバー支持部材とを設け、検知領域制限カバーの断面の径と、第１及び第２のカバー支持部材の断面の径とを異ならせたことを特徴とする熱線センサ付自動スイッチ。
【請求項２】
時間設定部とモード設定部と人体検知部とを上から順番に配置したことを特徴とする請求項１記載の熱線センサ付自動スイッチ。
【請求項３】
検知領域制限カバーはレンズ表面との間に隙間をおいて取り付けられたことを特徴とする請求項１記載の熱線センサ付自動スイッチ。
【請求項４】
第１又は第２のカバー支持部材の何れか一方に、検知領域制限カバーに設けられた係止部と凹凸係止する被係止部を設けたことを特徴とする請求項１記載の熱線センサ付自動スイッチ。
【請求項５】
第１及び第２のカバー支持部材に、検知領域制限カバーに設けられた係止部と凹凸係止する被係止部をそれぞれ設けたことを特徴とする請求項１記載の熱線センサ付自動スイッチ。
【請求項６】
人体検知部の検知領域の少なくとも一部を検知領域制限カバーが制限するのを防止するストッパを設けたことを特徴とする請求項１記載の熱線センサ付自動スイッチ。
【請求項７】
検知領域制限カバーは複数枚の板片から構成されることを特徴とする請求項１記載の熱線センサ付自動スイッチ。
【請求項８】
検知領域制限カバーは蛇腹状に伸縮する伸縮部を有することを特徴とする請求項１記載の熱線センサ付自動スイッチ。
【請求項９】
レンズと一体に形成されレンズの前面を覆うレンズカバーを設けたことを特徴とする請求項１記載の熱線センサ付自動スイッチ。
【請求項１０】
時間設定部が配置された器体前面の部位を開閉自在に覆う扉を設けたことを特徴とする請求項１記載の熱線センサ付自動スイッチ。
【請求項１１】
器体に設けられた軸受け部に軸支される略円筒状の軸を扉に設け、軸の付け根を付け根側ほど径が大きくなるような断面形状に形成したことを特徴とする請求項１０記載の熱線センサ付自動スイッチ。
【請求項１２】
器体に設けられた軸受け部に軸支される軸を扉に設け、開閉時に器体表面と対向する扉の部位に、扉の端縁と軸との間の距離が、軸と器体表面との間の距離よりも長くなる部位を設けたことを特徴とする請求項１０記載の熱線センサ付自動スイッチ。
【請求項１３】
前記時間設定部は切換操作に応じて動作保持時間を対数的に変化させることを特徴とする請求項１記載の熱線センサ付自動スイッチ。
【請求項１４】
時間設定部の切換操作によって、制御回路の動作モードが、人体検知部の検知信号と無関係に負荷を強制的にオン又はオフさせる連続入モード、連続切モードに設定されることを特徴とする請求項１３記載の熱線センサ付自動スイッチ。
【請求項１５】
回路部を構成する回路部品に熱結合された放熱板を器体の内部に収納し、放熱板と対向する器体の面に器体の内部と連通する連通孔を複数設けるとともに、放熱板における連通孔に対応する部位以外の部位に貫通孔を穿設したことを特徴とする請求項１乃至１４の何れか１つに記載の熱線センサ付自動スイッチ。
【請求項１６】
上記負荷制御回路は、２個の接続端子間に接続されたトライアックを有することを特徴とする請求項１乃至１４の何れか１つに記載の熱線センサ付自動スイッチ。
【請求項１７】
上記負荷制御回路は、２個の接続端子間にリレー接点が接続されたリレーを有することを特徴とする請求項１乃至１４の何れか１つに記載の熱線センサ付自動スイッチ。
【請求項１８】
上記負荷制御回路は、２個の接続端子間に接続されたトライアックと、トライアックにリレー接点が並列接続されたリレーとを有し、上記制御回路は負荷への電源供給開始時にトライアックがオンした状態でリレー接点をオンすることを特徴とする請求項１乃至１４の何れか１つに記載の熱線センサ付自動スイッチ。
【発明の詳細な説明】
【０００１】
【発明の属する技術分野】
本発明は、人体から放射される熱線を検出して、負荷をオン／オフさせる熱線センサ付自動スイッチに関するものである。
【０００２】
【従来の技術】
この種の熱線センサ付自動スイッチとしては、所定の検知領域において、人体から放射される熱線を、レンズにより例えば焦電センサからなる人体検知センサに集光し、人体検知センサの人体検知信号に基づいて負荷（例えば照明負荷）のオン／オフ制御を行うものがあった。この熱線センサ付自動スイッチは、玄関や廊下などの壁面（施工面）に固定された取付枠を用いて埋込配線され、人の出入りや往来を検知して、自動的に照明負荷を点灯／消灯させるために用いられていた。
【０００３】
【発明が解決しようとする課題】
上記構成の熱線センサ付自動スイッチでは、スイッチの動作モードを切り換えたり、各種の設定を行うためのスイッチが器体の内部に収納されており、器体の前面側から操作できないため、設定作業がやりにくいという問題があった。
【０００４】
本発明は上記問題点に鑑みて為されたものであり、その目的とするところは設定作業を容易に行える熱線センサ付自動スイッチを提供することにある。
【０００５】
【課題を解決するための手段】
上記目的を達成するために、請求項１の発明では、人体から放射される熱線を検知することにより検知領域内における人の存否を検知する人体検知部と、人体検知部が検知信号を発生すると所定の動作保持時間だけ負荷をオンさせる制御信号を発生する制御回路、２個の接続端子を介して商用電源及び負荷の直列回路が接続され前記制御信号に応じて負荷への電源供給をオン／オフする負荷制御回路、負荷制御回路と並列に接続され負荷制御回路のオフ時に負荷が駆動するに至らないレベルの入力インピーダンスを有し負荷制御回路のオフ時に制御回路へ動作電源を供給するオフ時電源回路、及び負荷制御回路のオン時に制御回路へ動作電源を供給するオン時電源回路よりなる回路部と、人体検知部および回路部を収納する器体とを備え、上記器体は前面が略矩形状に形成され、壁面のような施工面に固定される取付枠に結合される取付け部を有し、上記器体の短幅方向の寸法は、施工面に固定される取付枠の開口窓の短幅方向寸法と略同じ寸法に形成されると共に、上記器体の長手方向の寸法は、取付枠の開口窓の長手方向寸法の略３分の２に形成され、開口窓から露出する器体前面の部位に、人体検知部と、動作保持時間を切り換える時間設定部と、制御回路の動作モードを人体検知部の検知信号に応じて自動的に負荷をオン／オフさせる自動モード、検知信号と無関係に負荷を強制的にオン又はオフさせる連続入モード、連続切モードの何れかに切り換えるモード設定部とを配置したことを特徴とし、器体には取付枠に結合される取付け部が形成されているので、既製の取付枠を利用して施工面に取り付けることができ、且つ、器体の長手方向の寸法は、取付枠の開口窓の長手方向寸法の略３分の２の寸法（開口窓の長手方向寸法の略３分の１の寸法を１個モジュール寸法（例えばＪＩＳ規格で規格化された大角形連用配線器具の単位寸法）といい、その略２倍の寸法、以下２個モジュール寸法という。）に形成されているので、１個モジュール寸法の埋込型配線器具とともに並設することができる。しかも、取付枠の開口窓から露出する器体前面の部位に人体検知センサと時間設定部とモード設定部とが配置されているので、動作保持時間や動作モードの設定作業を前面側から行うことができ、設定作業を容易に行うことができる。そのうえ、２個の接続端子間には負荷と商用電源の直列回路が接続されているので、商用電源が接続される接続端子と負荷が接続される接続端子とを別々に設けた場合に比べて、接続端子の数を少なくでき、接続端子を収納する空間が小さくて済むので、器体を小型化できる。
【０００６】
そのうえ、請求項１の発明では不要な領域からの熱線を検知領域制限カバーで遮蔽することにより、人体検知センサの誤動作を防止することができ、且つ、検知領域制限カバーはスライド自在に設けられているので、遮光する領域を容易に変更でき、さらに検知領域制限カバーを第１及び第２のカバー支持部材の間に挟持すると、径の違いによって検知領域制限カバーに第１及び第２のカバー支持部材から力が加わり、検知領域制限カバーと第１及び第２のカバー支持部材との接触抵抗を大きくできる。したがって、検知領域制限カバーに誤って接触したり、振動などが発生したとしても、検知領域制限カバーが移動しにくく、調整位置が変化するのを防止できる。また、検知領域制限カバーは第１及び第２のカバー支持部材により撓められた状態で取り付けられるので、組立時のずれや部品寸法のばらつきを吸収できる。
【０００７】
請求項２の発明では、請求項１の発明において、時間設定部とモード設定部と人体検知部とを上から順番に配置したことを特徴とし、請求項１の発明と同様の効果がある。
【０００８】
請求項３の発明では、請求項１の発明において、検知領域制限カバーはレンズ表面との間に隙間をおいて取り付けられたことを特徴とし、検知領域制限カバーがレンズ表面に密着した場合はレンズ面に複数の方向から熱線が入射したとしても、検知領域制限カバーにより全ての熱線が遮蔽されるが、検知領域制限カバーとレンズ表面との間に隙間をもたせているので、レンズ面に複数の方向から入射する熱線を別々に遮蔽することができる。
【０００９】
請求項４の発明では、請求項１の発明において、第１又は第２のカバー支持部材の何れか一方に、検知領域制限カバーに設けられた係止部と凹凸係止する被係止部を設けたことを特徴とし、検知領域制限カバーを移動させると、被係止部と係止部とが凹凸係止することによって、クリック感が発生し、調整位置を容易に見つけることができる。
【００１０】
請求項５の発明では、請求項１の発明において、第１及び第２のカバー支持部材に、検知領域制限カバーに設けられた係止部と凹凸係止する被係止部をそれぞれ設けたことを特徴とし、検知領域制限カバーを移動させると、被係止部と係止部とが凹凸係止することによって、クリック感が発生し、調整位置を容易に見つけることができる。
【００１１】
請求項６の発明では、請求項１の発明において、人体検知センサの検知領域の少なくとも一部を検知領域制限カバーが制限するのを防止するストッパを設けたことを特徴とし、いたずら等によって検知領域制限カバーが閉じられたとしても、ストッパは検知領域制限カバーが検知領域の少なくとも一部を制限するのを防止しているので、検知不能となるのを防止できる。
【００１２】
請求項７の発明では、請求項１の発明において、検知領域制限カバーは複数枚の板片から構成されることを特徴とし、検知領域制限カバーを一枚の板片から形成した場合に比べて個々の板片の大きさを小さくできるから、検知領域制限カバーを収納するための空間を小さくでき、器体の小型化を図ることができる。
【００１３】
請求項８の発明では、請求項１の発明において、検知領域制限カバーは蛇腹状に伸縮する伸縮部を有することを特徴とし、伸縮部は蛇腹状に折り畳まれるので、検知領域制限カバーを一枚の板片から形成した場合に比べて、検知領域制限カバーを収納するための空間を小さくでき、器体の小型化を図ることができる。
【００１４】
請求項９の発明では、請求項１の発明において、レンズと一体に形成されレンズの前面を覆うレンズカバーを設けたことを特徴とし、レンズの前面をレンズカバーで覆っているので、外観の見栄えを良くすることができ、且つ、レンズカバーはレンズと一体に形成されているので、部品点数が増加することがない。
【００１５】
請求項１０の発明では、請求項１の発明において、時間設定部が配置された器体前面の部位を開閉自在に覆う扉を設けたことを特徴とし、時間設定部は扉によって覆われているので、いたずらなどによって時間設定部の設定が変更されるのを防止できる。
【００１６】
請求項１１の発明では、請求項１０の発明において、器体に設けられた軸受け部に軸支される略円筒状の軸を扉に設け、軸の付け根を付け根側ほど径が大きくなるような断面形状に形成したことを特徴とし、軸の付け根は付け根側ほど径が大きくなるような断面形状に形成されているので、扉を全閉状態からさらに開こうとして軸に無理な力を加えても、軸を折れにくくできる。
【００１７】
請求項１２の発明では、請求項１０の発明において、器体に設けられた軸受け部に軸支される軸を扉に設け、開閉時に器体表面と対向する扉の部位に、扉の端縁と軸との間の距離が、軸と器体表面との間の距離よりも長くなる部位を設けたことを特徴とし、扉を開閉する際に扉の端縁と器体とが接触して、軸の形成された扉の部位が外側に撓められるので、扉を開いた状態又は閉じた状態に移動させるような力が働くため、扉を開いて設定操作を行う際に扉が閉じることがなく、設定操作の邪魔になるのを防止でき、且つ、扉が閉じた状態から勝手に開くのを防止できる。
【００１８】
請求項１３の発明では、請求項１の発明において、時間設定部の切換操作に応じて動作保持時間が対数的に変化するので、短時間側は短い時間間隔、長時間側は長い時間間隔で動作保持時間が変化し、動作保持時間の調整範囲が広い場合でも１つの時間設定部で対応することができる。
【００１９】
請求項１４の発明では、請求項１３の発明において、時間設定部の切換操作によって、制御回路の動作モードが、人体検知センサの検知信号と無関係に負荷を強制的にオン又はオフさせる連続入モード、連続切モードに設定されることを特徴とし、時間設定部によりモード設定部を兼用でき、部品点数を削減することができる。
【００２０】
請求項１５の発明では、請求項１乃至１４の何れか１つの発明において、回路部を構成する回路部品に熱結合された放熱板を器体の内部に収納し、放熱板と対向する器体の面に器体の内部と連通する連通孔を複数設けるとともに、放熱板における連通孔に対応する部位以外の部位に貫通孔を穿設したことを特徴とし、器体の連通孔及び放熱板の貫通孔を介して器体の内部へ外気が流入したり、器体内部の空気が外部へ流出するため、放熱効果を高めることができ、且つ、連通孔に対応する部位以外の放熱板の部位に貫通孔が形成されているので、貫通孔には放熱板が臨んでおり、器体内部を遮蔽しているので、外観の見栄えを良くできる。
【００２１】
請求項１６の発明では、請求項１乃至１４の何れか１つの発明において、上記負荷制御回路は、２個の接続端子間に接続されたトライアックを有することを特徴とし、望ましい実施態様である。
【００２２】
請求項１７の発明では、請求項１乃至１４の何れか１つの発明において、上記負荷制御回路は、２個の接続端子間にリレー接点が接続されたリレーを有することを特徴とし、負荷制御回路をトライアックで構成した場合に比べて、発熱を少なくできる。
【００２３】
請求項１８の発明では、請求項１乃至１４の何れか１つの発明において、上記負荷制御回路は、２個の接続端子間に接続されたトライアックと、トライアックにリレー接点が並列接続されたリレーとを有し、上記制御回路は負荷への電源供給開始時にトライアックがオンした状態でリレー接点をオンすることを特徴とし、負荷への電源供給開始時にはトライアックが先にオンするため、リレー接点に突入電流が流れることはなく、突入電流の大きな負荷に対しても小型のリレーで対応でき、且つ、トライアックのみの場合に比べてトライアックに流れる電流が低減するから、発熱を少なくできる。
【００２４】
【発明の実施の形態】
（実施形態１）
本実施形態の熱線センサ付自動スイッチを、図１乃至図３０を参照して説明する。この熱線センサ付自動スイッチのブロック図を図２６に、回路図を図２７に、要部回路図を図２８にそれぞれ示す。熱線センサ付自動スイッチの２つの接続端子ｔ１，ｔ２間には、負荷（例えば白熱灯や蛍光灯やインバータ照明器具などの照明負荷）Ｌと商用電源ＡＣの直列回路が接続される。
【００２５】
また、接続端子ｔ１，ｔ２間には、カレントトランスＣＴの１次巻線と、負荷Ｌへの電源供給をオン／オフ制御するトライアックＴＲＣを有する負荷制御回路１０１とが直列に接続され、負荷制御回路１０１と並列に全波整流器ＤＢ１が接続されている。全波整流器ＤＢ１の直流出力端子間には、例えばマイクロコンピュータよりなる制御用ＩＣ１０３から入力される信号によりトリガされ、トライアックＴＲＣのゲートに制御信号を与えてターンオンさせるサイリスタＳＣＲを有する駆動回路１０２と、制御用ＩＣ１０３の動作電源を生成する定電圧回路１０４に負荷制御回路１０１のオン時（負荷Ｌの非駆動時）に電源供給するオフ時電源回路１０５が接続される。また、カレントトランスＣＴや、カレントトランスＣＴの二次巻線に発生する電流を全波整流する全波整流器ＤＢ２などから、負荷制御回路１０１のオフ時（負荷Ｌの駆動時）に定電圧回路１０４に電源供給するオン時電源回路１０６が構成される。ここに、制御用ＩＣ１０３および駆動回路１０２から制御回路が構成され、負荷制御回路１０１、制御回路、定電圧回路１０４およびオフ時電源回路１０５などから回路部が構成される。尚、図２７中の１１１は制御用ＩＣ１０３の動作クロックを発生するクロック回路であり、図２７中の１１５は電源投入時に制御用ＩＣ１０３をリセットするためのリセットＩＣである。
【００２６】
制御用ＩＣ１０３の入力端子ＩＮ１には、所定の検知領域における人体から放射される熱線を検出して人体検知信号を発生する例えば焦電素子からなる人体検知センサ１０７の検出信号が入力され、入力端子ＩＮ２には、硫化カドミウム（ＣｄＳ）セルのような光電変換素子からなり周囲の明るさを検出する明るさセンサ１０８の検出信号が入力されており、制御用ＩＣ１０３は人体検知センサ１０７及び明るさセンサ１０８の検出信号に基づいて、駆動回路１０２を動作させる制御信号を発生する。なお、明るさセンサ１０８は、周囲の明るさが所定のしきい値よりも明るい場合はＨレベルの検出信号を発生し、周囲の明るさが所定のしきい値よりも暗い場合はＬレベルの検出信号を発生する。
【００２７】
この熱線センサ付自動スイッチの動作を図３０のタイムチャートを参照して以下に簡単に説明する。明るさセンサ１０８の検出信号がＨレベル、すなわち周囲の明るさが所定のしきい値よりも明るい場合には、人体検知センサ１０７から人体検知信号が入力されたとしても、制御用ＩＣ１０３は駆動回路１０２を動作させる制御信号を駆動回路１０２に出力しない。
【００２８】
一方、明るさセンサ１０８の検出信号がＬレベル、すなわち周囲の明るさが所定のしきい値よりも暗い場合に、人体検知センサ１０７から人体検知信号が入力されると、制御用ＩＣ１０３は駆動回路１０２を動作させる制御信号を出力端子ＯＵＴ１から駆動回路１０２に出力する。駆動回路１０２では制御用ＩＣ１０３から入力された制御信号によりサイリスタＳＣＲがオンし、トライアックＴＲＣのゲートにトリガ電流が流れて、トライアックＴＲＣがターンオンし、負荷Ｌに電源が供給される。
【００２９】
制御用ＩＣ１０３は、人体検知センサ１０７から入力された人体検知信号に基づいて、駆動回路１０２に制御信号を出力すると同時に、所定の動作保持時間Ｔ１の限時を開始し、動作保持時間Ｔ１内に再度人体検知センサ１０７から人体検知信号が入力された場合には、動作保持時間Ｔ１を再度最初から限時しなおすことで、制御信号の出力時間すなわち負荷Ｌの動作時間を延長するようになっている。つまり、本実施形態においては所謂リトリガブル機能を有している。そして、動作保持時間Ｔ１の限時が完了したら制御用ＩＣ１０３は制御信号の出力を停止し、サイリスタＳＣＲがトリガされなくなり、トライアックＴＲＣのゲートにトリガ電流が流れなくなって、トライアックＴＲＣがオフし、負荷Ｌへの電源供給が遮断される。
【００３０】
また、全波整流器ＤＢ１の直流出力端子間に接続された抵抗Ｒ４，Ｒ５の直列回路などから、商用電源ＡＣのゼロクロス点を検出するゼロクロス検出回路１１３が構成されており、全波整流器ＤＢ１の出力電圧を抵抗Ｒ４，Ｒ５で分圧した電圧が制御用ＩＣ１０３の入力端子ＩＮ８に入力されている。図２９に示すように、制御用ＩＣ１０３はこの分圧電圧から全波整流器ＤＢ１の出力電圧ＶＤＢ１と所定のしきい値電圧Ｖzxとの高低を比較し、ゼロクロス検出信号Ｓzxを発生する。すなわち制御用ＩＣ１０３は、出力電圧ＶＤＢ１がしきい値電圧Ｖzxよりも高い間はゼロクロス検出信号Ｓzxの論理を“１”とし、出力電圧ＶＤＢ１がしきい値電圧Ｖzx以下の間はゼロクロス検出信号Ｓzxの論理を“０”とする。而して、制御用ＩＣ１０３はゼロクロス検出回路１１３の出力から商用電源ＡＣのゼロクロス点を検出しており、サイリスタＳＣＲをトリガする位相を制御する。
【００３１】
ここで、制御用ＩＣ３の入力端子ＩＮ３〜ＩＮ４には時間設定部たるスイッチＳＷ３が接続されており、スイッチＳＷ３の切換操作に応じて入力端子ＩＮ３〜ＩＮ４の電圧レベルが変化し、動作保持時間Ｔ１を複数の段階（例えば１０秒〜３０分）に切り換えられる。ところで、スイッチＳＷに、操作量に比例して動作保持時間Ｔ１が変化するようなボリュームを用いた場合、動作保持時間Ｔ１の設定範囲が例えば１０秒〜３０分のように広くなると、短時間側（例えば１分）の調整がやりにくいという問題があった。そこで、本実施形態ではスイッチＳＷ３にロータリ式のディップスイッチを用いており、図２３（ａ）に示すようにスイッチＳＷ３の切換操作に応じて、動作保持時間Ｔ１を対数的に変化させている。すなわち、動作保持時間Ｔ１の設定間隔を短時間側は短く、長時間側は長くすることにより、一つのスイッチＳＷ３で短時間側から長時間側まで容易に時間設定を行うことができる。また、図２３（ｂ）に示すように、スイッチＳＷ３の切り換えによって、連続切（負荷Ｌを強制的にオフさせる状態）又は連続入（負荷Ｌを強制的にオンさせる状態）の状態に設定できるようにしても良く、制御回路の動作モードを連続切モード（人体検知センサ１０７および明るさセンサ１０８の検出信号と無関係に負荷制御回路１０１を強制的にオフさせるモード）や連続入モード（人体検知センサ１０７および明るさセンサ１０８の検出信号と無関係に負荷制御回路１０１を強制的にオンさせるモード）に切り換えるためのスイッチを別途設ける必要がなくなるので、スイッチの数を削減でき、コストダウンを図ることができる。
【００３２】
また、スイッチＳＷ２の切換操作によって、明るさのしきい値を明（例えば１４〜８０ルクス）、暗（例えば５〜２０ルクス）の２段階に切り換えたり、明るさセンサ１０８の出力と無関係に人体検知センサ１０７の検出信号のみに基づいて制御用ＩＣ１０３を動作させる状態（切状態）に設定することができる。また、制御用ＩＣ１０３のモード設定端子ＭＯＤＥ１，ＭＯＤＥ２には、モード設定部たるモード切換スイッチＳＷ１が接続されており、モード切換スイッチＳＷ１の切換操作に応じて、モード設定端子ＭＯＤＥ１の信号レベルが“Ｌ”レベルになると、本回路の動作モードは連続入モードに切り換えられ、モード設定端子ＭＯＤＥ２の信号レベルが“Ｌ”レベルになると、本回路の動作モードは連続切モードに切り換えられる。また、モード設定端子ＭＯＤＥ１，ＭＯＤＥ２の信号レベルが共に“Ｈ”レベルになると、本回路の動作モードは自動モード（制御用ＩＣ１０３が人体検知センサ１０７及び明るさセンサ１０８の検出信号に基づいて駆動回路１０２に制御信号を出力し、負荷制御回路１０１を自動的にオン／オフさせるモード）に切り換えられる。
【００３３】
ところで、図２８に示すように、オフ時電源回路１０５は、全波整流器ＤＢ１の出力によって充電されるコンデンサＣ１を有する充電回路１０５ａと、全波整流器ＤＢ１からコンデンサＣ１に流れる充電電流をオン／オフする充電制御回路１０５ｂと、コンデンサＣ１からの放電電流が供給され、コンデンサＣ１の両端電圧を降圧した略一定の電圧を発生する電圧変換回路１０５ｃと、コンデンサＣ１から電圧変換回路１０５ｃに流れる放電電流をオン／オフする放電制御回路１０５ｄとで構成される。
【００３４】
ここで、充電制御回路１０５ｂは、全波整流器ＤＢ１の高電位側の直流出力端子と充電回路１０５ａとの間にエミッタ・コレクタ間が接続されたトランジスタよりなるスイッチング素子Ｑ１を備えており、スイッチング素子Ｑ１は制御用ＩＣ１０３の出力端子ＯＵＴ２から入力される信号に応じてオン／オフされる。充電回路１０５ａは、全波整流器ＤＢ１の直流出力端子間にスイッチング素子Ｑ１を介して接続された抵抗Ｒ１、ダイオードＤ１及びコンデンサＣ１の直列回路から構成される。放電制御回路１０５ｄは、ダイオードＤ１及びコンデンサＣ１の接続点と、電圧変換回路１０５ｃとの間にエミッタ・コレクタ間が接続されたトランジスタよりなるスイッチング素子Ｑ２を備えており、スイッチング素子Ｑ２は制御用ＩＣ１０３の出力端子ＯＵＴ３から入力される信号に応じてオン／オフされる。電圧変換回路１０５ｃは、コンデンサＣ１の両端間にスイッチング素子Ｑ２を介して接続されたインダクタＬ１、ダイオードＤ２及びコンデンサＣ２の直列回路と、スイッチング素子Ｑ２及びインダクタＬ１の接続点にカソードが接続されるとともにコンデンサＣ１，Ｃ２の接続点にアノードが接続されたダイオードＤ３と、コンデンサＣ３と逆並列に接続されたツェナダイオードＺＤ１から構成され、所謂降圧チョッパを構成している。
【００３５】
また、全波整流器ＤＢ１の直流出力端子間に接続された抵抗Ｒ２，Ｒ３の直列回路などから、コンデンサＣ１の充電電圧を検出するためのチャージ電圧検出回路１１２が構成されており、抵抗Ｒ２，Ｒ３の接続点の電位は制御用ＩＣ１０３の入力端子ＩＮ７に入力される。制御用ＩＣ１０３は、抵抗Ｒ２，Ｒ３の接続点の電位から、全波整流器ＤＢ１の出力電圧ＶＤＢ１と所定のチャージ電圧Ｖcgとの高低（すなわちコンデンサＣ１の充電電圧ＶＣ１と予め設定されたしきい値電圧との高低）を比較し、チャージ電圧検出信号Ｓcgを発生する。すなわち制御用ＩＣ１０３は、出力電圧ＶＤＢ１がチャージ電圧Ｖcgよりも高い間、チャージ電圧検出信号Ｓcgの論理を“１”とし、出力電圧ＶＤＢ１がしきい値電圧Ｖcg以下の間、チャージ電圧検出信号Ｓcgの論理を“０”とする。
【００３６】
ここで、負荷制御部１０１のオフ時における電源回路１０５の動作について図２９を参照して簡単に説明する。スイッチング素子Ｑ１，Ｑ２が共にオフしている状態で、商用電源ＡＣの電源電圧がゼロクロス点を超え、ゼロクロス検出信号Ｓzxの論理が“０”から“１”に立ち上がると、制御用ＩＣ１０３はスイッチング素子Ｑ１をオンにする。この時、全波整流器ＤＢ１→スイッチング素子Ｑ１→抵抗Ｒ１→ダイオードＤ１→コンデンサＣ１→全波整流器ＤＢ１の径路で電流が流れ、コンデンサＣ１が充電される。
【００３７】
コンデンサＣ１の両端電圧ＶＣ１が上昇し、予め設定されたしきい値電圧まで充電され、チャージ電圧検出信号Ｓcgの論理が“０”から“１”に立ち上がると、制御用ＩＣ１０３はスイッチング素子Ｑ１をオフにして、コンデンサＣ１の充電を停止する。スイッチング素子Ｑ１をオフしてから一定時間Ｔ２が経過すると、制御用ＩＣ１０３はスイッチング素子Ｑ２をオンし、コンデンサＣ１の放電電流が、コンデンサＣ１→スイッチング素子Ｑ２→インダクタＬ１→ダイオードＤ２→コンデンサＣ２→コンデンサＣ１の径路で流れて、インダクタＬ１およびコンデンサＣ２にエネルギが供給される。而して、コンデンサＣ２およびツェナダイオードＺＤ１からなる定電圧回路の両端間に一定電圧が発生し、この電圧がさらに定電圧回路１０４のレギュレータＩＣ１０９，１１０で安定化されて、制御用ＩＣ１０３に供給される。
【００３８】
その後、商用電源ＡＣの電源電圧がゼロクロス点付近まで低下し、ゼロクロス検出信号Ｓzxの論理が“１”から“０”に立ち下がると、制御用ＩＣ１０３はスイッチング素子Ｑ２をオフにして、コンデンサＣ１から電圧変換回路１０５ｃへの放電を停止させる。さらに、商用電源ＡＣの電源電圧がゼロクロス点を超え、ゼロクロス検出信号Ｓzxの論理が“０”から“１”に再び立ち上がると、制御用ＩＣ１０３はスイッチング素子Ｑ１をオンにして、全波整流器ＤＢ１からコンデンサＣ１へ充電電流を流し、上述の処理を繰り返す。尚、図２９の領域Ａは負荷Ｌが整流作用を有している場合を示しているが、全波整流器ＤＢ１からオフ時電源回路１０５に半波しか入力されない場合でも、オフ時電源回路１０５は動作可能である。
【００３９】
一方、負荷制御回路１０１のオン時には、オン時電源回路１０６のカレントトランスＣＴの２次側に負荷電流に応じた電流が発生し、この電流は整流器ＤＢ２で整流され、抵抗Ｒ６及びダイオードＤ４を介してコンデンサＣ２を充電し、コンデンサＣ２およびツェナダイオードＺＤ１からなる定電圧回路に一定電圧が発生して、定電圧回路１０４に電源供給される。
【００４０】
上述のように本回路では、オフ時電源回路１０５は負荷制御回路１０１と並列に接続されているが、オフ時電源回路１０５の入力インピーダンスは、負荷制御回路１０１のオフ時に負荷Ｌが駆動するに至らないような高いインピーダンスに設定されているので、オフ時電源回路１０５には僅かな入力電流しか流れず、負荷Ｌがグロー式放電灯からなる場合でも負荷Ｌは駆動には至らない。また、本回路は、２個の接続端子ｔ１，ｔ２間に負荷Ｌおよび商用電源ＡＣの直列回路が接続される２線式の回路方式を採用しているので、商用電源ＡＣが接続される２個の電源用接続端子と、負荷Ｌが接続される２個の負荷用接続端子とを備えた所謂４線式の回路方式を採用した場合に比べて接続端子の個数を減らすことができ、接続端子を収納する空間が小さくて済むから熱線センサ付自動スイッチの器体を小型化できる。
【００４１】
次に、上述した人体検知センサ１０７や明るさセンサ１０８や回路部を収納する器体１の構造について説明する。器体１は、例えばメラミンフェノール樹脂などの合成樹脂から形成された前面が開口する略箱状のボディ２と、例えばＡＢＳ樹脂などの合成樹脂から形成されたボディ２の前面を覆うカバー３から構成される。
【００４２】
ボディ２の両側面にはそれぞれ側方に突出する係止凸部４が２個づつ突設されている。また、ボディ２の内部は隔壁によって、上述した回路部がそれぞれ実装された２枚のプリント基板２７，２８を収納するプリント基板収納部５ａと、鎖錠ばね４１及び解除釦４２から構成される従来周知の速結端子構造の端子が収納される端子収納部５ｂとに区切られている。端子収納部５ｂの底面には、ボディ２の底面側から電線を挿入する電線挿通孔６と、ボディ２の底面側からドライバなどの工具を挿入して端子収納部５ｂ内に収納された解除釦４２を操作し、鎖錠ばね４１と電線との接続状態を解除するための操作孔７とが穿設されている。
【００４３】
ここで、接続端子ｔ１，ｔ２が速結端子構造の端子から構成されているので、電線挿通孔６から電線の芯線を挿入するだけで、電線と鎖錠ばね４１とを接続することができ、しかも電線を取り外す際は操作孔７から工具を挿入して解除釦４２を操作することにより、鎖錠ばね４１と電線の芯線との接続状態が外れるので、電線の着脱作業を容易に行うことができる。なお、速結端子構造の端子の代わりにねじ端子を用いても良く、速結端子構造の端子に比べて端子の収納する空間が小さくて済むので、器体１をさらに小型化することができる。
【００４４】
ボディ２内には、２枚のプリント基板２７，２８が、オフ時電源回路１０５やオン時電源回路１０６などの電源回路が実装されたプリント基板２８をボディ２の底面側、制御用ＩＣ１０３などの弱電回路が実装されたプリント基板２７を前面側にして収納されており、２枚のプリント基板２７，２８の間は図示しない電線を介して電気的に接続されている。また、プリント基板２８には速結端子の端子板が半田付されている。弱電回路が実装されたプリント基板２７は略矩形状であって、プリント基板２７の長手方向における一側には人体検知センサ１０７および明るさセンサ１０８が実装され、略中央にはモード切換スイッチＳＷ１が実装され、長手方向における他側にはスイッチＳＷ２，ＳＷ３が実装されている。
【００４５】
また、図３乃至図６に示すようにプリント基板収納部５ａ内には、例えばアルミニウムなどの熱伝導性の良好な材料から形成された略コ字状の放熱板３８が収納されている。放熱板３８は、中央片３８ａと、中央片３８ａの両側縁から一方向に突出する側片３８ｂ，３８ｃとを有し、中央片３８ａには基板に実装された発熱部品１１６がねじ３９を用いて熱結合される。ここで、放熱板３８は、各側片３８ｂ，３８ｃをボディ２の上下面（ボディ２を施工面に取り付けた状態で上下となるボディ２の面）と対向させてボディ２内に収納されている。また、ボディ２の上下面には、ボディ２の内部と外部を連通する長孔（連通孔）４０が、ボディ２の背面側から前面側に向かって複数穿設されている。一方、各側片３８ｂ，３８ｃにおける長孔４０に対応する部位以外の部位には、各長孔４０と略平行に複数の長孔（貫通孔）３８ｄが穿設されており、放熱板３８をボディ２内に収納すると、ボディ２に穿設された長孔４０と、放熱板３８に穿設された長孔３８ｄの位置が互い違いに配置される。
【００４６】
従来の熱線センサ付自動スイッチではボディ２のみに放熱用の孔を穿設しており、ボディ２内に収納される放熱板３８には孔が穿設されていなかったため、器体１内部への空気の出入りがしにくく、放熱板３８と外気との間で熱交換を行うことにより器体１内部の熱を逃がしていたので、放熱効果が不十分であった。それに対して、本実施形態ではボディ２の上下面に放熱用の長孔４０を穿設すると共に、ボディ２の上下面に対応する放熱板３８の側片３８ｂ，３８ｃにも放熱用の長孔３８ｄを穿設し、長孔３８ｄ，４０を互い違いに配置しているので、長孔３８ｄ，４０を介して器体１内部への空気の出入りがしやすくなり、放熱効果を高めることができる。尚、空気の出入りがしやすいように、ボディ２内壁と放熱板３８との間には隙間が設けられている。
【００４７】
また、長孔３８ｄ，４０は器体１の上下方向に形成されており、暖かい空気は上昇するので、ボディ２の下面に設けられた長孔４０から、側片３８ｃに設けられた長孔３８ｄを介して器体１内に外気が流入し、器体１内部の空気は側片３８ｂに設けられた長孔３８ｄからボディ２上面に設けられた長孔４０を介して器体１の外部に流出するため、空気の対流によって空気の出入りがしやすくなっている。また、長孔３８ｄ，４０は互い違いに配置されており、ボディ２の長孔４０内には放熱板３８が臨んでいるので、外部から器体１の内部を見ることはできず、見栄えを良くできる。しかも、放熱板３８はボディ２の内部に収納されており、長孔４０の間隔は十分小さい間隔に設定されているので、外部から放熱板３８に直接触れることはできず、安全性が向上する。
【００４８】
一方、カバー３は前面が略矩形状に形成され、カバー３の前面には略直方体状の突台８が形成されており、突台８の両側には突台８よりも一段低くなった段部９が形成されている。各段部９の側縁には側方に突出する一対の係止爪片１０が２組突設され、各段部９には側方に開口する結合凹所１１が２個形成されている。ここに、係止爪片１０及び結合凹所１１から取付枠に結合するための取付け部が構成され、係止爪片１０又は結合凹所１１の何れかを利用して金属製の取付枠あるいは合成樹脂製の取付枠の何れにも器体１を取り付けることができるようになっている。
【００４９】
突台８の長手方向における一側には、突台８よりも一段低くなった略矩形状の凹所１２が設けられ、凹所１２にはスイッチＳＷ２，ＳＷ３の操作つまみをそれぞれ臨ませる開口１３，１４が穿設されている。凹所１２の一側には、カバー３に開閉自在に取り付けられる扉１５の軸１５ａを軸支する軸受け部１６が設けられるとともに、凹所１２の他側には孔１７が穿設されている。また突台８の略中央にはモード切換スイッチＳＷ１の操作つまみを臨ませる開口１８が設けられ、突台８の長手方向における他側には人体検知センサ１０７や明るさセンサ１０８の受光面を臨ませるセンサ窓１９が設けられている。またカバー３の両側縁からは、それぞれ、一対の舌片２０が背面側に突設されており、各舌片２０にはボディ２の係止凸部４と係止離脱自在に係止する係止孔２０ａが穿設されている。
【００５０】
而して、ボディ２に突設された係止凸部４と、カバー３に設けられた舌片２０の係止孔２０ａとを係止させることによって、ボディ２とカバー３とを容易に結合することができる。なお、係止凸部４の前縁には傾斜面４ａが形成されており、カバー３をボディ２に取り付ける際に、舌片２０の先端が傾斜面４ａに案内され、係止孔２０ａと係止凸部４とが係止するので、取付作業を容易に行うことができる。
【００５１】
カバー３のセンサ窓１９は、外部の光（熱線を含む）を人体検知センサ１０７や明るさセンサ１０８の受光面に集光するためのレンズが形成されたレンズ体２１によって閉塞される。ここに、人体検知センサ１０７及びレンズ体２１などから人体検知部が構成される。レンズ体２１は例えば高密度ポリエチレン（ＨＤＰＥ）などの透光性材料から形成されており、図７及び図８に示すようにレンズ体２１の前面にはフレネルレンズからなる略半球状のレンズ２３が一体的に設けられている。また、レンズ２３の前面を覆ってレンズ２３を保護するレンズカバー２６を設けており、レンズカバー２６は、センサ窓１９から前方に露出する中央片２６ａと、中央片２６ａの両側縁から夫々連続一体に設けられた中央片２６ａよりも幅寸法の狭い固定片２６ｂ，２６ｃとで構成され、レンズカバー２６は一方の固定片２６ｂを介してレンズ体２１に連結されており、レンズカバー２６はレンズ体２１と一体に形成されている。
【００５２】
レンズ体２１の上下片にはレンズカバー２６を支持する略半月状のレンズカバー支持枠２５，２５が設けられており、レンズ体２１の左右両側面には夫々側方に突出する爪片２１ａ，２１ａが突設されている。また、レンズカバー支持枠２５，２５の上下には、レンズカバー支持枠２５，２５よりも径が大きい略半月状のカバー支持枠２４，２４が形成されている。さらに、センサ窓１９の上下縁には略半月状の覆い部２９，２９が突設されており、覆い部２９，２９によってレンズ支持枠２５，２５が覆われている。一方、各爪片２１ａに対応する固定片２６ｂの部位には、各爪片２１ａと係合する係合孔２６ｅが穿設されている。ここに、覆い部２９及びカバー支持枠２４から、後述するエリア制限カバー４３を挟持する１及び第２のカバー支持部材が構成される。
【００５３】
また、 図８（ｃ）に示すように固定片２６ｂにおけるレンズ体２１との連結部付近には薄肉のヒンジ部２６ｆが形成されており、レンズカバー２６はヒンジ部２６ｆで折り曲げられるようになっている。尚、固定片２６ｂにおけるレンズ体２１との連結部付近には孔２６ｄが略中央に設けられているので、レンズカバー２６を曲げやすくなっている。而して、図７（ｂ）及び図８（ｄ）に示すように、レンズカバー２６をヒンジ部２６ｆで折り曲げ、レンズカバー支持枠２５，２５の表面に沿ってレンズ体２１に巻き付け、レンズ体２１の両側面に突設された爪片２１ａとレンズカバー２６の係合孔２６ｅとを係止させることによって、レンズカバー２６がレンズ体２１に取り付けられる。ところで、熱線センサ付自動スイッチを壁面に取り付ける場合、レンズ２３がむき出しになっていると美観が損なわれるので、レンズカバー２６を設ける必要があるが、レンズカバー２６がレンズ体２１と別体になっていると、部品点数が増加するという問題がある。本実施形態では、レンズカバー２６をレンズ体２１と一体に形成し、レンズカバー２６をヒンジ部２６ｆで折り曲げ、レンズ体２１の爪片２１ａをレンズカバー２６の係合孔２６ｅと係止させることによって、レンズカバー２６をレンズ体２１に取り付けているので、部品点数を少なくできる。
【００５４】
プリント基板２７に実装される人体検知センサ１０７には、略円筒状であって表面にクロムメッキなどの反射面３０ａが形成された反射部材３０が被着されており、反射部材３０は下縁から突設された突起（図示せず）をプリント基板２７の孔（図示せず）に挿入することにより、プリント基板２７に取り付けられる。而して、レンズ２３に外部から熱線が入射すると、入射した熱線の一部は反射部材３０の反射面で反射され、人体検知センサ１０７に入射されるようになっているので、熱線センサ付自動スイッチの配設された壁面のような施工面（造営面）に沿って移動する人を検知するための検知ビームを、レンズ２３と反射部材３０とで配置することができ、熱線センサ付自動スイッチの水平方向における検知範囲を約１８０度とすることができる。従来は、人体検知センサの水平方向における検知範囲が約９０度であるので、人体検知センサを収納した回転体を回動自在に器体に取り付け、回転体を回動させることによって検知領域の調整を行っていたため、回転体の回動機構を収納する空間を確保する必要があったが、本実施形態では反射部材３０でレンズ２３に入射する熱線を反射することによって水平方向における検知範囲を広げており、水平方向における検知範囲を例えば約１８０度まで広げることができ、従来のように回転体の回動機構を設ける必要が無く、器体１の小型化を図ることができる。
【００５５】
またレンズカバー２６の前面には、不要な領域から入射する熱線によって誤動作するのを防止するため、熱線の検知領域を制限する遮光性を有する一対のエリア制限カバー（検知領域制限カバー）４３，４３が、カバー支持枠２４の周面に沿ってスライド自在に取り付けられており、カバー３とレンズ体２１との間に挟持される。尚、エリア制限カバー４３は可視光を透過し、且つ、熱線を遮断する材料（例えばポリカーボネイトなど）から形成されているので、レンズ２３内に配置された明るさセンサ１０８に入射する光を減少させることなく、不要な領域からの熱線の入射のみを遮断することができる。
【００５６】
図９（ａ）〜（ｄ）に示すようにエリア制限カバー４３は略矩形板状であって、断面が略円弧状に形成されている。エリア制限カバー４３におけるカバー支持枠２４と対向する部位には、カバー支持枠２４の表面と当接する突起４３ａが両端部に突設され、エリア制限カバー４３における覆い部２９裏面と対向する部位には突起４３ｂが突設されている。またエリア制限カバー４３における覆い部２９側の面の端部には開閉操作を行うための操作つまみ４３ｃが突設されている。
【００５７】
ところで、図１１に示すようにエリア制限カバー４３の断面は略円弧状に形成されているが、その半径ｒ１は、カバー支持枠２４の外周面の半径ｒ３や、覆い部２９の内周面の半径ｒ２よりも小さくなっている（ｒ２，ｒ３＞ｒ１）。したがって、エリア制限カバー４２を覆い部２９の内周面とカバー支持枠２４の外周面との間で挟持すると、図１０に示すように、覆い部２９の内周面と当接する突起４３ｂに図中下向きの力が加わると共に、カバー支持枠２４の外周面と当接する突起４３ａに図中上向きの力が加わるため、エリア制限カバー４３の突起４３ａとカバー支持枠２４の外周面との接触圧や、突起４３ｂと覆い部２９の内周面との接触圧が大きくなる。而して、エリア制限カバー４３が移動しにくくなり、振動やエリア制限カバー４３に誤って接触するなどしてエリア制限カバー４３が移動するのを防止できる。また、エリア制限カバー４３は撓められた状態で取り付けられるので、組込時のずれや部品寸法のばらつきを吸収でき、エリア制限カバー４３をスライドさせる際の感触が安定する。尚、図１０中の破線は外力が加わっていない状態のエリア制限カバー４３の形状を示している。
【００５８】
上述のように人体検知センサ１０７には反射部材３０が取り付けられているので、複数の方向からレンズ２３の同じレンズ面に入射した熱線を人体検知センサ１０７に集光させることができるが、エリア制限カバー４３がレンズ２３表面に密着して取り付けられた場合、レンズ２３の同じレンズ面に入射した複数の方向からの熱線は全てエリア制限カバー４３によって遮蔽されてしまう。しかしながら、本実施形態ではエリア制限カバー４３はレンズ２３表面との間に隙間をおいて取り付けられているので、図１２に示すように、レンズ２３の同じレンズ面に入射する複数の方向からの熱線を別々に遮蔽することができる。尚、レンズ２３の１つのレンズ面に１方向からの熱線しか入射しないのであれば、エリア制限カバー４３をレンズ２３表面に密着させて取り付けても良い。
【００５９】
検知領域を制限する必要のない場合、エリア制限カバー４３，４３はカバー３内に収納されており、検知領域を制限したい場合は、操作つまみ４３ｃを操作して、エリア制限カバー４３をカバー支持枠２４の周面に沿ってカバー３内から引き出すことにより、検知領域を熱線センサ付自動スイッチが取り付けられた造営面側から制限することができる。従来の熱線センサ付自動スイッチでは、検知領域を制限するために遮光性を有するシールをレンズに貼り付けるなどして、検知領域を制限していたが、本実施形態ではエリア制限カバー４３がスライド自在に取り付けられているので、シールを貼り付ける場合に比べて検知領域の調整が容易に行え、検知領域の変更にも容易に対応することができる。なお、熱線センサ付自動スイッチの正面方向の検知領域のみを制限したい場合は、レンズカバー２６の前方に所定の領域からの熱線を遮光する遮光部材（図示せず）を後付けするようにしても良く、正面方向の検知領域のみを制限することもできる。
【００６０】
ところで、図１４に示すように、エリア制限カバー４３の突起４３ａと係止する溝２４ａをカバー支持枠２４の表面に形成しても良く、エリア制限カバー４３をスライドさせると、係止部たる突起４３ａと被係止部たる溝２４ａとが凹凸係止して、クリック感が発生するので、エリア制限カバー４３の調整位置を容易に見つけることができる。また、図１５に示すように、エリア制限カバー４３の突起４３ｂと凹凸係止する被係止部としての段部２９ａ及び溝２９ｂを覆い部２９の内周面に形成しても良く、エリア制限カバー４３をスライドさせると、突起４３ｂが段部２９ａ又は溝２９ｂと係止して、クリック感が発生するので、エリア制限カバー４３の調整位置を容易に見つけることができる。尚、カバー支持枠２４の表面にエリア制限カバー４３の突起４３ａと係止する溝２４ａを形成する場合に比べて、突起４３ｂが段部２９ａ又は溝２９ｂと係止する際に、覆い部２９の内周面が突起４３ｂを押圧することによってエリア制限カバー４３に力が加えられる方向に移動するエリア制限カバー４３の移動量が大きいので、より大きなクリック感を得ることができる。
【００６１】
また、図１６に示すように、エリア制限カバー４３の突起４３ａと係止する溝２４ａをカバー支持枠２４の表面に形成するとともに、エリア制限カバー４３をカバー３内に収納した状態で、エリア制限カバー４３の突起４３ｂと係止する段部２９ａを覆い部２９の内周面に形成しても良く、外側から見られる覆い部２９の部位には溝を形成せず、カバー支持枠２４の表面に溝２４ａを形成してクリック感を発生させているので、見栄えを良くすることができる。また、段部２９ａは、外側から見ることのできない覆い部２９の部位に形成されており、エリア制限カバー４３をカバー３内に収納すると、突起４３ｂと段部２９ａとが係止するので、誤って接触したり、振動などによってエリア制限カバー４３がスライドするのを防止し、確実にカバー３内に収納することができる。
【００６２】
また、図１７に示すように、覆い部２９内面の略中央にエリア制限カバー４３のスライドを規制するストッパ２９ｃを設けても良く、エリア制限カバー４３をスライドさせると、エリア制限カバー４３がストッパ２９ｃと当接し、それ以上スライドさせることができないので、検知領域を少なくとも一部確保することができる。したがって、いたずら等によりエリア制限カバー４３が閉じられ、人体検知センサ１０７の検知領域が全て遮蔽され、検知不能となるのを防止できる。
【００６３】
なお、上述の実施形態ではエリア制限カバー４３を一枚の板片で構成しているが、図１８に示すように、エリア制限カバー４３を略矩形板状であって断面略円弧状の複数枚（例えば２枚）の扉（板片）４４，４５で構成しても良く、各扉４４，４５の大きさを小さくできるから、エリア制限カバー４３を１枚の板片で構成した場合に比べてエリア制限カバー４３の収納スペースを小さくできる。２枚の扉４４，４５は、一方の扉４４を背面側、他方の扉４５を前面側にして、カバー３とレンズ体２１との間に挟持される。扉４４におけるカバー支持枠２４と対向する部位には、カバー支持枠２４の表面と当接する突起４４ａが両端部に突設され、扉４４における覆い部２９裏面と対向する部位には突起４４ｂが突設されている。また扉４４における覆い部２９側の面の端部には、開閉操作を行うための操作つまみ４４ｃが突設されている。一方、扉４５には、扉４４に周方向に沿って形成された溝４４ｄと係止する突起４５ａが突設されている。
【００６４】
而して、扉４４，４５が収納された状態で操作つまみ４４ｃを用いて扉４４を引き出すと、溝４４ｄの後縁と突起４５ａとが係止し、扉４５が扉４４とともに引き出されて、人体検知センサ１０７の検知領域を制限する。一方、扉４４，４５をカバー３内に収納する際は、操作つまみ４４ｃを用いて扉４４をカバー３内に移動させると、扉４４の突起４４ｂと扉４５とが係止し、扉４５が扉４４とともに移動して、カバー３内に収納される。尚、扉４４の断面の半径は、カバー支持枠２４の外周面の半径ｒ３や、覆い部２９の内周面の半径ｒ２よりも小さくなっているので、上述と同様、扉４４を覆い部２９の内周面とカバー支持枠２４の外周面との間で挟持すると、突起４４ａとカバー支持枠２４の外周面との接触圧や、突起４４ｂと覆い部２９の内周面との接触圧が大きくなり、扉４４に誤って接触したり、振動などによって扉４４が移動するのを防止できる。尚、覆い部２９の内面には扉４５の移動を規制する段部２９ｄが形成されており、段部２９ｄと扉４５とが当接することによって、扉４４，４５の移動範囲が規制される。
【００６５】
また図１９に示すように、エリア制限カバー４３の端部に蛇腹状に伸縮する伸縮部４３ｄを設けても良く、エリア制限カバー４３を一枚の板片で構成する場合に比べて、エリア制限カバー４３の収納スペースを小さくできる。
【００６６】
ところで、従来の熱線センサ付自動スイッチでは、人体検知センサ１０７などの検知部が配置される器体１の取付部位の表面形状は、前面に突出する曲面形状に形成されているが、モード切換スイッチＳＷ１やスイッチＳＷ２，ＳＷ３が配設される器体１の部位は平面形状に形成されているので、見栄えが悪いという問題があった。また、モード切換スイッチＳＷ１の操作つまみ３２が小さいため、操作しづらく、また現在の切換位置が判別しにくいという問題があった。
【００６７】
そこで、本実施形態では、モード切換スイッチＳＷ１の操作つまみ３２に操作ハンドル３３を被着しており、操作ハンドル３３のつまみ部３３ａがカバー３の開口１８から前方に突出している。而して、操作ハンドル３３を操作することによって、モード切換スイッチＳＷ１の操作つまみ３２の切換操作を行い、動作モードを切り換えることができ、モード切換スイッチＳＷ１の操作つまみ３２に比べて操作ハンドル３３は大型であるので操作性が向上する。一方、プリント基板２７に実装されたスイッチＳＷ２，ＳＷ３の操作つまみ３５，３６は、それぞれ、カバー３の表面に穿設された開口１３，１４からカバー３の前面側に突出しており、スイッチＳＷ３の操作つまみ３６には鍔３７が取り付けられている。
【００６８】
また、スイッチＳＷ２，ＳＷ３が配置された器体１の凹所１２は扉１５により開閉自在に覆われている。図２０（ａ）〜（ｃ）に示すように、扉１５の表面形状は前方に突出する曲面形状に形成されており、両側縁には略半月状の側板１５ｄ，１５ｄが設けられている。側板１５ｄ，１５ｄの一端部には、それぞれ、カバー３に設けられた軸受け部１６の孔１６ａに軸支される軸１５ａ，１５ａが突設されている。軸１５ａは略円筒状であって、先端には径が一定の筒部が設けられ、軸１５ａにおける側板１５ｄとの接合部は、側板１５ｄ側ほど径が大きくなるような略円錐台状の断面形状に形成されている。また、カバー３の孔１７に対応する扉１５の部位には裏面側に突出する弾性を有する係止片１５ｂが突設されており、係止片１５ｂの先端には側方に突出する爪１５ｃが突設されている。
【００６９】
図２１（ａ）〜（ｇ）及び図２２に示すように、扉１５の軸１５ａ，１５ａを軸受け部１６の孔１６ａと係止させることにより、扉１５がカバー３の前面に開閉自在に取り付けられる。尚、図２２のＧ−Ｇ’線より上側は扉１５が閉じた状態を示し、図２２のＧ−Ｇ’線より下側は扉１５が図２１（ｃ）に示す位置まで開いた状態を示している。
【００７０】
ここで、軸１５ａとカバー３表面との間の距離をｒ４とし、軸１５ａを中心とする半径ｒ４の円Ｒａ（図２０（ｃ）に二点鎖線で示す）を描いた場合、扉１５を開閉する際にカバー３と対向する側板１５の端縁１５ｅが円Ｒａよりも外側に突出するような形状に側板１５ｄは形成されている。扉１５が閉じている状態（図２１（ａ）参照）から、扉１５を図２１中反時計回りに回転させ、図２１（ｂ）に示す位置まで移動させると、側板１５の端縁１５ｅと軸１５ａとの間の距離は半径Ｒａよりも長いので、側板１５の端縁１５ｅがカバー３の表面と接触し、図２２中の矢印の方向の力が扉１５に加わる。この時、扉１５の側板１５ｄが外側に押し撓められ、軸受け部１６と軸１５ａとの接触位置が円筒部分に移動するので、扉１５を閉じようとする力が発生する。さらに扉１５を反時計回りに回転させ、図２１（ｄ）に示す位置まで移動させると、今度は扉１５を開こうとする力が発生し、扉１５は完全に開いた状態（図２１（ｇ）参照）となる。
【００７１】
扉１５が完全に開いた状態では、カバー３の表面と側板１５ｄとが接触しておらず、側板１５ｄを外側に撓めようとする力が発生しない。したがって、扉１５が完全に開いた状態から扉１５を閉じようとすると、側板１５ｄの端縁１５ｅとカバー３表面とが接触して、側板１５ｄを外側に撓めようとする力が発生し、扉１５を開こうとする力が発生するため、扉１５に誤って触れた程度では扉１５は閉じず、扉１５を開けてスイッチＳＷ２，ＳＷ３の操作を行う際に扉１５が勝手に閉まって操作を妨げることがない。また、軸１５ａの根元は円錐台状に形成されているので、扉１５を全開状態からさらに開こうとしたとしても、側板１５ｄが外側に撓んで、軸１５ａと軸受け部１６との係止状態が外れるだけであり、軸１５ａが折れることはないので、再び扉１５を取り付けることができる。
【００７２】
一方、扉１５を閉じる際は、扉１５を図２２中時計回りに回転させると、扉１５に突設された係止片１５ｂが孔１７内に挿入され、爪１５ｃが孔１７の端面に当たって係止片１５ｂが内側に押し撓められ、爪１５ｃが孔１７の端面を乗り越えてカバー３の内面と係止するので、扉１５が閉じられた状態でラッチされる。なお、扉１５を閉じた状態で、扉１５を図２２中反時計回りに回転させると、爪１５ｃが孔１７の端面に当たって係止片１５ｂが内側に押し撓められ、爪１５ｃが孔１７の端面を乗り越えて爪１５ｃとカバー３内面との係止状態が外れるので、扉１５を容易に開けることができる。
【００７３】
このように、スイッチＳＷ２，ＳＷ３が配設されたカバー３の部位は扉１５によって開閉自在に覆われているので、スイッチＳＷ２，ＳＷ３が不用意に操作させるのを防止することができる。また、扉１５の表面は曲面形状に形成されており、人体検知センサ１０７が配設されたカバー３の取付部位の表面形状と同様の形状に形成されているので、見栄えを良くすることができ、且つ、扉１５内の空間を大きくとることができるから、スイッチＳＷ３の操作つまみ３６に操作ハンドル３７を取り付けることができ、スイッチＳＷ３の操作性を向上させることができる。
【００７４】
本実施形態では、器体１を造営面に取り付けた状態で、器体１の前面に人体検知センサ１０７、モード切換スイッチＳＷ１及びスイッチＳＷ２，ＳＷ３を配置しているので、器体１の前面側から各種の設定を容易に行える。また、人体検知センサ１０７及び明るさセンサ１０８の取付部位を器体１の下側に配置し、モード切換スイッチＳＷ１を器体１の中央に配置し、スイッチＳＷ２，ＳＷ３を器体１の上側に配置しており、発熱部品と人体検知センサ１０７とをできるだけ離して器体１内に納めているので、人体検知センサ１０７が器体内部の発熱の影響を受けにくくなる。さらに、人体検知センサ１０７を器体１の下側に配置した場合は、発熱部品から直接放射される輻射熱の影響を低減できるとともに、器体１内部の熱の循環による影響を低減することもでき、発熱部品の発熱の影響をさらに受けにくくできる。
【００７５】
ところで本実施形態においては、ボディ２とカバー３から成る器体１を壁面のような造営面に埋込配設するために、埋込型の配線器具用に規格化された既製の取付枠に取り付けることができる寸法に形成してある。このような取付枠としては、例えばＪＩＳで規格化されている大角形連用配線器具の取付枠（ＪＩＳＣ８３７５参照）がある。そして、本実施形態では器体１の長手方向の寸法を、大角形連用配線器具の１連の取付枠の開口窓の長手方向寸法の略３分の２の寸法（２個モジュール寸法）に形成している。
【００７６】
図２４は前記２個モジュール寸法に器体１が形成された熱線センサ付自動スイッチと、大角形連用配線器具の１個モジュール寸法のスイッチ９０を一連の金属製の取付枠６０に取り付けた状態を示している。この取付枠６０は、中央に開口窓６０ａを有する矩形枠状に形成されており、長手方向に対向する取付片６１に図示しない埋込ボックスに取り付けるためのボックスねじ用の長孔６２と、壁を構成する石膏ボードなどに取り付けるための従来周知のはさみ金具（図示せず）が取着される取着孔６３と、前面にプレート枠（図示せず）等を取り付けるためのプレートねじ用のねじ孔６４とが少なくとも設けてある。また、取付枠６０の開口窓６０ａ両側の各側片６５には固定爪（図示せず）と可動爪６６とが設けてある。而して、カバー３の結合凹所１１の一方に固定爪を挿入したのち、可動爪６６を他方の結合凹所１１に押し込んで係止することで器体１を取付枠６０に容易に取り付けることができる。このように器体１を３個モジュール寸法の取付枠６０に取り付ければ、器体を２個モジュール寸法に形成してあるため、取付枠６０の残りの１個モジュール寸法の空間にスイッチ９０やコンセント、モジュラージャックなどの他の配線器具（大角連用形配線器具）を取り付けることができ、取付枠６０によって他の配線器具と容易に並設できる。
【００７７】
また図２５は熱線センサ付自動スイッチとスイッチ９０を合成樹脂製の取付枠７０に取り付けた状態を示している。ここで、この取付枠７０は、長手方向に対向する取付片７１にボックスねじ用の長孔７２と、はさみ金具が取着される取着孔（図示せず）と、プレートねじ用のねじ７４とが少なくとも設けてある。また、取付枠７０の一方の側片７５には２つで１組となった係止孔（図示せず）が３組ずつ並設され、他方の側片７６には横長の板片７７が垂設されている。この板片７７には開口部７９が３つ並設され、各開口部７９の下縁には突出片７８が上方へ突設してある。而して、カバー３の一方の係止爪片１０を側片７５の係止孔に挿入したのち、反対側の係止爪片１０を突出片７８の肩８０に載せるようにして開口部７９に挿入すれば、器体１を取付枠７０に取り付けることができる。なお、この場合における器体１の長手方向の寸法は、取付枠７０の開口窓７０ａの長手方向寸法の略３分の２に形成されている（２個モジュール寸法）。
【００７８】
ところで、図２５に２点破線で示すように、合成樹脂製の取付枠７０の前面にはプレート取付枠８１を介してプレート８２が取り付けられるようになっている。このプレート８２は取付枠７０の開口窓７０ａよりも大きな寸法の開口部を有しており、そのままではプレート８２の開口部から取付枠７０の一部が露出してしまう。そこで、取付枠７０の前面にプレート８２の開口部と熱線センサ付自動スイッチの前面との隙間を塞ぐ化粧カバー８３が取り付けてある。これにより、所謂ピアノハンドルスイッチのような配線器具に対応して大きな開口部を有するプレート８２にも容易に対応が可能となる。
【００７９】
なお、図２４、図２５では、スイッチ９０が熱線センサ付自動スイッチに対して上側になるように取付枠６０，７０に取り付けているが、スイッチ９０を操作する際に手の影が明るさセンサ１０８に入らないようにするため、スイッチ９０が熱線センサ付自動スイッチに対して下側にくるようにして、スイッチ９０と熱線センサ付自動スイッチとを取付枠６０，７０に並設しても良い。
【００８０】
（実施形態２）
本実施形態の熱線センサ付自動スイッチの回路図を図３１に示す。実施形態１では、接続端子ｔ１，ｔ２間にカレントトランスＣＴの一次巻線を介してトライアックＴＲＣを有する負荷制御回路１０１を接続しているが、本実施形態ではトライアックＴＲＣの代わりに、例えばセットコイル又はリセットコイルへの通電によって接点状態が切り換えられ、磁力などで切り換わった接点状態を保持するラッチングタイプのリレーＲＹを用いている。すなわち、実施形態１の熱線センサ付自動スイッチにおいて、接続端子ｔ１，ｔ２間にカレントトランスＣＴの一次巻線を介してリレー接点ｒｙを接続している。また駆動回路１０２の代わりに、リレーＲＹを開閉駆動するためのリレー駆動回路１１４を設けている。尚、リレー接点ｒｙ及びリレー駆動回路１１４以外の構成は上述した実施形態１と同様であるので、同一の構成要素には同一の符号を付して、その説明を省略する。
【００８１】
リレー駆動回路１１４は、コンデンサＣ２の両端間にそれぞれ接続されたセットコイルＳ及びトランジスタＱ３の直列回路、リセットコイルＲ及びトランジスタＱ４の直列回路を備えており、トランジスタＱ３，Ｑ４は、それぞれ、制御用ＩＣの出力端子ＯＵＴ１ａ，ＯＵＴ１ｂから出力される信号によってオン／オフされる。
【００８２】
この熱線センサ付自動スイッチの動作を図３２のタイムチャートを参照して説明する。明るさセンサ１０８の検出信号がＨレベル、すなわち周囲の明るさが所定のしきい値よりも明るい場合には、人体検知センサ１０７から人体検知信号が入力されたとしても制御用ＩＣ１０３はリレー駆動回路１１４に制御信号を出力しない。一方、明るさセンサ１０８の出力信号がＬレベル、すなわち周囲の明るさが所定のしきい値よりも暗い場合に、人体検知センサ１０７から人体検知信号が入力されると、制御用ＩＣ１０３は出力端子ＯＵＴ１ａからトランジスタＱ３をオンさせる信号をリレー駆動回路１１４に出力する。この時、トランジスタＱ３を介してリレーＲＹのセットコイルＳに電流が流れ、リレー接点ｒｙがオンし、負荷Ｌに電源が供給される。なお、リレーＲＹはラッチングタイプのリレーであるので、セットコイルＳへの通電が終了してもリレー接点ｒｙはオン状態を保持し、負荷Ｌへの電源供給が継続される。したがって、リレーＲＹのコイルに電流を流し続ける必要はなく、省エネを図ることができる。
【００８３】
制御用ＩＣ１０３は、人体検知センサ１０７から入力された人体検知信号に基づいて、リレー駆動回路１１４に制御信号を出力すると同時に、所定の動作保持時間Ｔ１の限時を開始し、動作保持時間Ｔ１内に再度人体検知センサ１０７から人体検知信号が入力された場合には、動作保持時間Ｔ１を再度最初から限時しなおすことで、制御信号の出力時間すなわち負荷Ｌの動作時間を延長するようになっている。そして、動作保持時間Ｔ１の限時が完了すると、制御用ＩＣ１０３は出力端子ＯＵＴ１ｂからトランジスタＱ４をオンさせる制御信号を出力する。この時、トランジスタＱ４を介してリレーＲＹのリセットコイルＲに電流が流れ、リレー接点ｒｙがオフし、負荷Ｌへの電源供給が停止される。
【００８４】
このように、本実施形態では負荷制御回路１１４をリレー接点ｒｙで構成しているので、トライアックＴＲＣを用いた場合に比べて、回路部品の発熱を小さくできる。
【００８５】
（実施形態３）
本実施形態の熱線センサ付自動スイッチの回路図を図３３に示す。実施形態１では、接続端子ｔ１，ｔ２間にカレントトランスＣＴの一次巻線を介してトライアックＴＲＣを有する負荷制御回路１０１を接続しているが、本実施形態では、例えばセットコイル又はリセットコイルへの通電によって接点状態が切り換えられ、磁力などで切り換わった接点状態を保持するラッチングタイプのリレーＲＹのリレー接点ｒｙを、トライアックＴＲＣと並列に接続している。すなわち、実施形態１の熱線センサ付自動スイッチにおいて、接続端子ｔ１，ｔ２間にカレントトランスＣＴの一次巻線を介してトライアックＴＲＣ及びリレー接点ｒｙの並列回路を接続している。また、オン時電源回路１０６の抵抗Ｒ６とダイオードＤ４との間にツェナダイオードＺＤ２を逆直列に接続し、ツェナダイオードＺＤ２のカソードと回路のグランドとの間にコンデンサＣ４を接続している。コンデンサＣ４と並列に実施形態２で説明したリレー駆動回路１１４を接続しており、コンデンサＣ４の両端電圧を制御用ＩＣ１０３の入力端子ＩＮ９に入力する。尚、負荷制御回路１０１、リレー駆動回路１１４及びオン時電源回路１０６以外の構成は実施形態１又は２と同様であるので、同一の構成要素には同一の符号を付して、その説明を省略する。
【００８６】
この熱線センサ付自動スイッチの動作を図３４のタイムチャートを参照して説明する。明るさセンサ１０８の検出信号がＨレベル、すなわち周囲の明るさが所定のしきい値よりも明るい場合には、人体検知センサ１０７から人体検知信号が入力されたとしても制御用ＩＣ１０３はリレー駆動回路１１４に制御信号を出力しない。
【００８７】
一方、明るさセンサ１０８の出力信号がＬレベル、すなわち周囲の明るさが所定のしきい値よりも暗い場合に、人体検知センサ１０７から人体検知信号が入力されると、制御用ＩＣ１０３は出力端子ＯＵＴ１から駆動回路１０２を動作させる制御信号を駆動回路１０２に出力し、駆動回路１０２では制御用ＩＣ１０３から入力された制御信号によりサイリスタＳＣＲがオンし、トライアックＴＲＣのゲートにトリガ電流が流れて、トライアックＴＲＣがターンオンし、負荷Ｌに電源が供給される。ここで、制御用ＩＣ１０３は入力端子ＩＮ９に入力されたコンデンサＣ４の両端電圧をモニタしており、コンデンサＣ４が所定の電圧まで充電されると、出力端子ＯＵＴ１ａからトランジスタＱ３をオンさせる信号を出力する。この時、トランジスタＱ３を介してリレーＲＹのセットコイルＳに電流が流れ、リレー接点ｒｙがオンし、リレー接点ｒｙ及びトライアックＴＲＣの並列回路を介して負荷Ｌに電源が供給される。
【００８８】
制御用ＩＣ１０３は、人体検知センサ１０７から入力された人体検知信号に基づいて、駆動回路１０２に制御信号を出力すると同時に、所定の動作保持時間Ｔ１の限時を開始し、動作保持時間Ｔ１内に再度人体検知センサ１０７から人体検知信号が入力された場合には、動作保持時間Ｔ１を再度最初から限時しなおすことで、制御信号の出力時間すなわち負荷Ｌの動作時間を延長するようになっている。そして、動作保持時間Ｔ１の限時が完了すると、制御用ＩＣ１０３は出力端子ＯＵＴ１ｂからトランジスタＱ４をオンさせる制御信号を出力する。この時、トランジスタＱ４を介してリレーＲＹのリセットコイルＲに電流が流れ、リレー接点ｒｙがオフする。その後、制御用ＩＣ１０３は出力端子ＯＵＴ１から駆動回路１０２への制御信号の出力を停止し、サイリスタＳＣＲがトリガされなくなり、トライアックＴＲＣのゲートにトリガ電流が流れなくなって、トライアックＴＲＣがオフし、負荷Ｌへの電源供給が停止される。
【００８９】
上述のように、負荷Ｌの動作時にリレー接点ｒｙ及びトライアックＴＲＣの並列回路を介して負荷Ｌに電源が供給されるので、負荷制御回路１０１をトライアックＴＲＣのみで構成した場合に比べて、トライアックＴＲＣに流れる電流が低減され、トライアックＴＲＣの発熱を抑制することができる。また、リレー接点ｒｙはトライアックＴＲＣが導通した後にオンするので、リレー接点ｒｙに突入電流が流れることはなく、インバータ照明器具などの突入電流の大きな負荷Ｌでも小型のリレーＲＹで構成することができる。
【００９０】
尚、本回路では、リレー駆動回路１１４の両端間に、コンデンサＣ４の両端電圧にツェナダイオードＺＤ２のツェナ電圧を加えた電圧が印加されるので、電圧変換回路１０５の出力電圧よりも高い電圧でリレーＲＹを駆動することができる。
【００９１】
【発明の効果】
上述のように、請求項１の発明は、人体から放射される熱線を検知することにより検知領域内における人の存否を検知する人体検知部と、人体検知部が検知信号を発生すると所定の動作保持時間だけ負荷をオンさせる制御信号を発生する制御回路、２個の接続端子を介して商用電源及び負荷の直列回路が接続され前記制御信号に応じて負荷への電源供給をオン／オフする負荷制御回路、負荷制御回路と並列に接続され負荷制御回路のオフ時に負荷が駆動するに至らないレベルの入力インピーダンスを有し負荷制御回路のオフ時に制御回路へ動作電源を供給するオフ時電源回路、及び負荷制御回路のオン時に制御回路へ動作電源を供給するオン時電源回路よりなる回路部と、人体検知部および回路部を収納する器体とを備え、上記器体は前面が略矩形状に形成され、壁面のような施工面に固定される取付枠に結合される取付け部を有し、上記器体の短幅方向の寸法は、施工面に固定される取付枠の開口窓の短幅方向寸法と略同じ寸法に形成されると共に、上記器体の長手方向の寸法は、取付枠の開口窓の長手方向寸法の略３分の２に形成され、開口窓から露出する器体前面の部位に、人体検知部と、動作保持時間を切り換える時間設定部と、制御回路の動作モードを人体検知部の検知信号に応じて自動的に負荷をオン／オフさせる自動モード、検知信号と無関係に負荷を強制的にオン又はオフさせる連続入モード、連続切モードの何れかに切り換えるモード設定部とを配置したことを特徴とし、器体には取付枠に結合される取付け部が形成されているので、既製の取付枠を利用して施工面に取り付けることができ、且つ、器体の長手方向の寸法は、取付枠の開口窓の長手方向寸法の略３分の２の寸法（２個モジュール寸法）に形成されているので、１個モジュール寸法の埋込型配線器具とともに並設できるという効果があり、しかも取付枠の開口窓から露出する器体前面の部位に人体検知部と時間設定部とモード設定部とが配置されているので、動作保持時間や動作モードの設定作業を前面側から行うことができ、設定作業を容易に行えるという効果がある。そのうえ、２個の接続端子間には負荷と商用電源の直列回路が接続されているので、商用電源が接続される接続端子と負荷が接続される接続端子とを別々に設けた場合に比べて、接続端子の数を少なくでき、接続端子を収納する空間が小さくて済むので、器体を小型化できるという効果がある。
【００９２】
そのうえ、請求項１の発明では、不要な領域からの熱線を検知領域制限カバーで遮蔽することにより、人体検知部の誤動作を防止することができ、且つ、検知領域制限カバーはスライド自在に設けられているので、遮光する領域を容易に変更でき、さらに検知領域制限カバーを第１及び第２のカバー支持部材の間に挟持すると、径の違いによって検知領域制限カバーに第１及び第２のカバー支持部材から力が加わり、検知領域制限カバーと第１及び第２のカバー支持部材との接触抵抗を大きくできるという効果がある。したがって、検知領域制限カバーに誤って接触したり、振動などが発生したとしても、検知領域制限カバーが移動しにくく、調整位置が変化するのを防止できるという効果がある。また、検知領域制限カバーは第１及び第２のカバー支持部材により撓められた状態で取り付けられるので、組立時のずれや部品寸法のばらつきを吸収できるという効果もある。
【００９３】
請求項２の発明は、請求項１の発明において、時間設定部とモード設定部と人体検知部とを上から順番に配置したことを特徴とし、請求項１の発明と同様の効果がある。
【００９４】
請求項３の発明は、請求項１の発明において、検知領域制限カバーはレンズ表面との間に隙間をおいて取り付けられたことを特徴とし、検知領域制限カバーがレンズ表面に密着した場合はレンズ面に複数の方向から熱線が入射したとしても、検知領域制限カバーにより全ての熱線が遮蔽されるが、検知領域制限カバーとレンズ表面との間に隙間をもたせているので、レンズ面に複数の方向から入射する熱線を別々に遮蔽できるという効果がある。
【００９５】
請求項４の発明は、請求項１の発明において、第１又は第２のカバー支持部材の何れか一方に、検知領域制限カバーに設けられた係止部と凹凸係止する被係止部を設けたことを特徴とし、検知領域制限カバーを移動させると、被係止部と係止部とが凹凸係止することによって、クリック感が発生し、調整位置を容易に見つけることができるという効果がある。
【００９６】
請求項５の発明は、請求項１の発明において、第１及び第２のカバー支持部材に、検知領域制限カバーに設けられた係止部と凹凸係止する被係止部をそれぞれ設けたことを特徴とし、検知領域制限カバーを移動させると、被係止部と係止部とが凹凸係止することによって、クリック感が発生し、調整位置を容易に見つけることができるという効果がある。
【００９７】
請求項６の発明は、請求項１の発明において、人体検知部の検知領域の少なくとも一部を検知領域制限カバーが制限するのを防止するストッパを設けたことを特徴とし、いたずら等によって検知領域制限カバーが閉じられたとしても、ストッパは検知領域制限カバーが検知領域の少なくとも一部を制限するのを防止しているので、検知不能となるのを防止できるという効果がある。
【００９８】
請求項７の発明は、請求項１の発明において、検知領域制限カバーは複数枚の板片から構成されることを特徴とし、検知領域制限カバーを一枚の板片から形成した場合に比べて個々の板片の大きさを小さくできるから、検知領域制限カバーを収納するための空間を小さくでき、器体の小型化を図ることができるという効果がある。
【００９９】
請求項８の発明は、請求項１の発明において、検知領域制限カバーは蛇腹状に伸縮する伸縮部を有することを特徴とし、伸縮部は蛇腹状に折り畳まれるので、検知領域制限カバーを一枚の板片から形成した場合に比べて、検知領域制限カバーを収納するための空間を小さくでき、器体の小型化を図ることができるという効果がある。
【０１００】
請求項９の発明は、請求項１の発明において、レンズと一体に形成されレンズの前面を覆うレンズカバーを設けたことを特徴とし、検知領域からの熱線を人体検知部に集光するレンズの前面をレンズカバーで覆っているので、外観の見栄えを良くすることができるという効果があり、且つ、レンズカバーはレンズと一体に形成されているので、部品点数が増加することがないという効果がある。
【０１０１】
請求項１０の発明は、請求項１の発明において、時間設定部が配置された器体前面の部位を開閉自在に覆う扉を設けたことを特徴とし、時間設定部は扉によって覆われているので、いたずらなどによって時間設定部の設定が変更されるのを防止できるという効果がある。
【０１０２】
請求項１１の発明は、請求項１０の発明において、器体に設けられた軸受け部に軸支される略円筒状の軸を扉に設け、軸の付け根を付け根側ほど径が大きくなるような断面形状に形成したことを特徴とし、軸の付け根は付け根側ほど径が大きくなるような断面形状に形成されているので、扉を全閉状態からさらに開こうとして軸に無理な力を加えても、軸を折れにくくできるという効果がある。
【０１０３】
請求項１２の発明は、請求項１０の発明において、器体に設けられた軸受け部に軸支される軸を扉に設け、開閉時に器体表面と対向する扉の部位に、扉の端縁と軸との間の距離が、軸と器体表面との間の距離よりも長くなる部位を設けたことを特徴とし、扉を開閉する際に扉の端縁と器体とが接触して、軸の形成された扉の部位が外側に撓められるので、扉を開いた状態又は閉じた状態に移動させるような力が働くため、扉を開いて設定操作を行う際に扉が閉じることがなく、設定操作の邪魔になるのを防止でき、且つ、扉が閉じた状態から勝手に開くのを防止できるという効果がある。
【０１０４】
請求項１３の発明は、請求項１の発明において、時間設定部が切換操作に応じて動作保持時間を対数的に変化させることを特徴とし、短時間側は短い時間間隔、長時間側は長い時間間隔で動作保持時間が変化するので、動作保持時間の調整範囲が広い場合でも１つの時間設定部で対応することができるという効果がある。
【０１０５】
請求項１４の発明は、請求項１３の発明において、時間設定部の切換操作によって、制御回路の動作モードが、人体検知部の検知信号と無関係に負荷を強制的にオン又はオフさせる連続入モード、連続切モードに設定されることを特徴とし、時間設定部によりモード設定部を兼用でき、部品点数を削減できるという効果がある。
【０１０６】
請求項１５の発明は、請求項１乃至１４の発明において、回路部を構成する回路部品に熱結合された放熱板を器体の内部に収納し、放熱板と対向する器体の面に器体の内部と連通する連通孔を複数設けるとともに、放熱板における連通孔に対応する部位以外の部位に貫通孔を穿設したことを特徴とし、器体の連通孔及び放熱板の貫通孔を介して器体の内部へ外気が流入したり、器体内部の空気が外部へ流出するため、放熱効果を高めることができ、且つ、連通孔に対応する部位以外の放熱板の部位に貫通孔が形成されているので、貫通孔には放熱板が臨んでおり、器体内部を遮蔽しているので、外観の見栄えを良くできるという効果がある。
【０１０７】
請求項１６の発明は、請求項１乃至１４の発明において、上記負荷制御回路は、２個の接続端子間に接続されたトライアックを有することを特徴とし、望ましい実施態様である。
【０１０８】
請求項１７の発明は、請求項１乃至１４の発明において、上記負荷制御回路は、２個の接続端子間にリレー接点が接続されたリレーを有することを特徴とし、負荷制御回路をトライアックで構成した場合に比べて、発熱を少なくできるという効果がある。
【０１０９】
請求項１８の発明は、請求項１乃至１４の発明において、上記負荷制御回路は、２個の接続端子間に接続されたトライアックと、トライアックにリレー接点が並列接続されたリレーとを有し、上記制御回路は負荷への電源供給開始時にトライアックがオンした状態でリレー接点をオンすることを特徴とし、負荷への電源供給開始時にはトライアックが先にオンするため、リレー接点に突入電流が流れることはなく、突入電流の大きな負荷に対しても小型のリレーで対応でき、且つ、トライアックのみの場合に比べてトライアックに流れる電流が低減するから、発熱を少なくできるという効果がある。
【図面の簡単な説明】
【図１】実施形態１の熱線センサ付自動スイッチの分解斜視図である。
【図２】（ａ）は同上の正面図であり、（ｂ）は同上の側面図である。
【図３】同上のボディに放熱板を組み込んだ状態を前面側から見た図である。
【図４】同上のボディに放熱板を組み込んだ状態を背面側から見た図である。
【図５】（ａ）は同上の放熱板の上面図であり、（ｂ）は同上のボディに放熱板を組み込んだ状態を上方から見た図である。
【図６】（ａ）は同上の放熱板の下面図であり、（ｂ）は同上のボディに放熱板を組み込んだ状態を下方から見た図である。
【図７】同上のレンズ体を示し、（ａ）はレンズカバーを固定する前の状態を前面側から見た図、（ｂ）はレンズカバーを固定した状態を前面側から見た図である。
【図８】同上のレンズ体を示し、（ａ）は下面図、（ｂ）は図７のＥ−Ｅ’断面図、（ｃ）は要部拡大断面図、（ｄ）はレンズカバーを固定する状態を下側から見た断面図である。
【図９】同上のエリア制限カバーを示し、（ａ）は正面図、（ｂ）は側面図、（ｃ）は下面図、（ｄ）は背面図である。
【図１０】同上のエリア制限カバーの取付状態を説明する図である。
【図１１】同上のエリア制限カバーをカバーとレンズ体との間で挟持する状態を説明する図である。
【図１２】同上のエリア制限カバーにより検知領域を制限する状態を説明する図である。
【図１３】同上のエリア制限カバーをカバーに組み込んだ状態を背面側から見た図である。
【図１４】同上の別のエリア制限カバーの組込状態を説明する図である。
【図１５】同上のまた別のエリア制限カバーの組込状態を説明する図である。
【図１６】同上のさらに別のエリア制限カバーの組込状態を説明する図である。
【図１７】同上の別のエリア制限カバーの組込状態を説明する図である。
【図１８】同上のまた別のエリア制限カバーの組込状態を説明する図である。
【図１９】同上のさらに別のエリア制限カバーの組込状態を説明する図である。
【図２０】同上の扉を示し、（ａ）は正面図、（ｂ）は側面図、（ｃ）は下方から見た断面図である。
【図２１】（ａ）〜（ｇ）は同上の扉の開閉操作時の状態を示す図である。
【図２２】同上の扉の開閉状態を示す図である。
【図２３】（ａ）（ｂ）は同上のスイッチの設定時間を説明する図である。
【図２４】同上の使用状態を示し、（ａ）は正面図、（ｂ）は側面図である。
【図２５】同上の使用状態を示し、（ａ）は正面図、（ｂ）は側面図である。
【図２６】同上のブロック図である。
【図２７】同上の回路図である。
【図２８】同上の要部回路図である。
【図２９】同上の動作を説明するタイムチャートである。
【図３０】同上の別の動作を説明するタイムチャートである。
【図３１】実施形態２の熱線センサ付自動スイッチの回路図である。
【図３２】同上の動作を説明するタイムチャートである。
【図３３】実施形態３の熱線センサ付自動スイッチの回路図である。
【図３４】同上の動作を説明するタイムチャートである。
【符号の説明】
１    器体
１０  係止爪片
１１  結合凹所
２１  レンズ体
２３  レンズ
３６  操作ハンドル
３７  鍔
１０７  人体検知センサ
ＳＷ１，ＳＷ３  スイッチ
【図１】
0003620347.tif 000002
【図２】
0003620347.tif 000003
【図３】
0003620347.tif 000004
【図４】
0003620347.tif 000005
【図５】
0003620347.tif 000006
【図６】
0003620347.tif 000007
【図７】
0003620347.tif 000008
【図８】
0003620347.tif 000009
【図９】
0003620347.tif 000010
【図１０】
0003620347.tif 000011
【図１１】
0003620347.tif 000012
【図１２】
0003620347.tif 000013
【図１３】
0003620347.tif 000014
【図１４】
0003620347.tif 000015
【図１５】
0003620347.tif 000016
【図１６】
0003620347.tif 000017
【図１７】
0003620347.tif 000018
【図１８】
0003620347.tif 000019
【図１９】
0003620347.tif 000020
【図２０】
0003620347.tif 000021
【図２１】
0003620347.tif 000022
【図２２】
0003620347.tif 000023
【図２３】
0003620347.tif 000024
【図２４】
0003620347.tif 000025
【図２５】
0003620347.tif 000026
【図２６】
0003620347.tif 000027
【図２７】
0003620347.tif 000028
【図２８】
0003620347.tif 000029
【図２９】
0003620347.tif 000030
【図３０】
0003620347.tif 000031
【図３１】
0003620347.tif 000032
【図３２】
0003620347.tif 000033
【図３３】
0003620347.tif 000034
【図３４】
0003620347.tif 000035